(57)【要約】【課題】エンジンの回転数を積算することで、エンジンの稼働状況を判定可能にする。【解決手段】エンジン１の回転数を測定する回転数測定手段２と、回転数測定手段２で測定された回転数を設定回転数域ごとに積算する回転数積算手段５とを有し、表示手段８に回転数積算手段５で積算された回転数の積算値を前記回転域ごとに表示させる。【選択図】　　　　図１
2004101396.tif 000002
【特許請求の範囲】
【請求項１】
エンジン１の回転数を測定する回転数測定手段２と、該回転数測定手段２で測定された回転数を設定回転数域ごとに積算する回転数積算手段５と、該回転数積算手段５で積算された回転数の積算値を前記設定回転域ごとに表示する表示手段８とを備えたことを特徴とするエンジン回転数積算計。
【請求項２】
前記回転数積算手段５がエンジン１の全回転数域における回転数を積算し、その積算値を前記表示手段８に表示させることを特徴とする請求項１に記載のエンジン回転数積算計。
【請求項３】
前記回転数積算手段５が、積算開始から積算終了までを指定した時間におけるエンジン１の回転数を積算し、その積算値を前記表示手段８に表示させることを特徴とする請求項１に記載のエンジン回転数積算計。
【請求項４】
前記設定回転数域ごとに分けてエンジン１の積算回転数を別々に表示するランプを設けたことを特徴とする請求項１に記載のエンジン回転数積算計。
【発明の詳細な説明】
【０００１】
【発明の属する技術分野】
本発明は、稼働中のエンジンの回転数を積算して表示させるエンジン回転数積算計に関する。
【０００２】
【従来の技術】
自動車のダッシュボードには、エンジンの回転数を表示するエンジン回転計が自動車の速度計や走行距離計などとともに並設されている。このエンジン回転計は、例えばエンジンの回転により発生させたパルスを、抵抗および容量で構成された積分回路に入力し、その積分回路の出力電圧をアナログメータで表示するように構成されている。
【０００３】
また、従来のエンジン回転計として図２に示すものがある。このエンジン回転計Ｂは図２に示すように、エンジン１の回転により発生させたパルスを、パルスカウンタなどの回転数測定手段２により計測し、この計測したパルス数をパルス数／回転数変換手段３によってエンジン１の回転数に変換し、表示手段４にその回転数を表示させるというものであり、前記アナログメータに比べて応答が早く表示精度が高い。従って、運転者はこれらのエンジン回転計が表示するエンジン１の回転数を監視することで、現在のエンジン１のアイドリング回転数や走行中の回転数、さらには状態や自動車の加速度状態などを判断することができる。
【０００４】
【発明が解決しようとする課題】
しかしながら、このような従来のエンジン回転計Ｂはエンジン１の回転数を単に計測して表示するのみであり、その計測した回転数からはエンジン１の稼働状態、つまり稼働履歴を知ることができず、従って、このエンジン回転数をエンジンメンテナンスのための情報として用いることができない。
【０００５】
本発明は、前記のような問題を解決するためになされたものであり、エンジンの回転数を積算することによって、エンジンの稼働状況を判定可能にし、これにより、エンジンメンテナンスのタイミングの目安を決定することができるエンジン回転数積算計を得ることを目的とする。
【０００６】
【課題を解決するための手段】
前記目的達成のために、請求項１の発明にかかるエンジン回転数計は、エンジンの回転数を測定する回転数測定手段と、該回転数測定手段で測定された回転数を設定回転数域ごとに積算する回転数積算手段とを有し、表示手段に該回転数積算手段で積算された回転数の積算値を前記設定回転域ごとに表示させることを特徴とする。これによりエンジンがいずれの設定回転数域で多く稼働していたかなどを判定でき、これをエンジンのメンテナンスやレーシング用走行データとして役立てることができる。
【０００７】
また、請求項２の発明にかかるエンジン回転数計は、前記回転数積算手段にエンジンの全回転数域における回転数を積算させ、その積算値を前記表示手段に表示させることを特徴とする。これにより、全走行距離または設定区間走行距離に対するエンジンの稼働状態を試験および判定することができる。
【０００８】
また、請求項３の発明にかかるエンジン回転数計は、前記回転数積算手段に、積算開始から積算終了までを指定した時間におけるエンジン１の回転数を積算させ、その積算値を前記表示手段に表示させることを特徴とする。これにより、設定時間内でのエンジンの稼働状態を簡単に試験および判定することができる。
【０００９】
さらに、請求項４の発明にかかるエンジン回転数計は、前記設定回転数域ごとに分けてエンジンの精算回転数を別々に表示するランプを設けたことを特徴とする。これにより、設定回転数域ごとのエンジンの回転数を誤りなく確認することができる。
【００１０】
【発明の実施の形態】
以下、本発明の実施の形態を図について説明する。図１は本発明のエンジン回転数積算計Ａを示すブロック図であり、同図において、１はエンジン、２はこのエンジン１の回転数を測定する回転数測定手段で、例えばエンジン１の回転数に応じて発生するパルス数を計数するものが用いられる。また、５は回転数測定手段２で測定された回転数を予め設定した回転数域ごとに積算する回転数積算手段である。
【００１１】
ここで設定させる回転数域は例えば０〜２０００回転／分、２００１〜３０００回転／分、３００１〜５０００回転／分、５００１〜１００００回転／分であり、必要に応じこれら以外の回転数域に分けることができる。従って、これらの回転数域を任意に設定するための回転数域設定手段６が回転数積算手段５に接続されている。また、この回転数積算手段６は全回転数域の稼働回転数を積算して出力する機能を合わせ持ち、その全回転数域の稼働回転数をスイッチ操作などによって簡単に出力させることもできる。
【００１２】
さらに、回転数積算手段５にはスタート／ストップスイッチ７が接続されており、スタート指令によって、前記設定した設定回転数域ごとにまたは全回転数域の回転数の積算を開始させ、ストップ指令によってその回転数の積算を停止させることができる。これにより設定時間内での回転数の積算値にもとづいてエンジン１の稼働状態を簡単に試験および判定することができる。
【００１３】
前記回転数積算手段５には液晶表示器などの表示手段８が接続されている。この表示手段８は、前記積算回転数を各設定回転数域ごとに表示する表示部が設けられている。また、全回転数域の回転数の積算値を表示する表示部も別に設けられている。しかし、各設定回転数域ごとに積算回転数の表示部を設けるスペースが得られない場合には、一箇所または複数箇所の表示部に複数の積算回転数を選択的に表示させるようにすることもできる。
【００１４】
また、前記表示手段８またはこの表示手段８とは独立して、前記設定回転数域ごとにエンジン１の回転数を表示するランプが設けられている。このランプは必要に応じて前記設定回転数域ごとに発光色が異なるものを用いれば、現在計測中の設定回転数域の認識を誤りなく行える。
【００１５】
次に動作を説明する。まず、自動車の停車中や走行中におけるエンジン１の積算回転数の測定回転数域を、運転者自身が回転数域設定手段６により設定する。この回転数域の設定により、エンジン１の回転数が回転数測定手段２によって測定開始されるとともに、回転数積算手段５がその測定回転数を設定回転数域ごとに積算していく。
【００１６】
なお、このエンジン１の回転数は、前記のような設定回転数域ごとではなく、自動的にまたは運転者のスイッチ操作によって全回転数域の回転数の積算値として計測することもできる。また、前記スタート／ストップスイッチ７の操作にょって、スタートからストップまでの指定時間内における各回転数域別または全回転数域でのエンジン１の積算回転数を得ることができ、これをレーシング走行時のデータとして用いることができる。
【００１７】
そして、このようにして得られた積算回転数は、運転席前方に設置された液晶表示器などの表示手段８に前記設定回転数域ごとにまたは全回転数域について明瞭に表示される。この場合において、設定回転数ごとにランプ表示することにより、監視しようとする設定回転数域の積算回転数を速やかに、誤りなく看取することができる。
【００１８】
従って、このような稼働中のエンジン１の回転数を回転数域別に積算して表示手段８に表示させることにより、エンジン１の詳しい稼働状態が分り、従って、エンジン１の試験用およびレーシング走行用の簡易型のデータロガーとして、このエンジン回転数積算計を使用できる。また、設定時間当りの設定回転数域ごとの回転数を求めて表示すれば、車やオートバイでの簡易タコグラフとしての機能を果すこともできる。
【００１９】
さらに、前記積算回転数やこの積算回転数の設定回転数域ごとの分布状態にもとづいて、燃費計算の目安とすることができるほか、燃料計としての利用も可能になり、加えて中古車の履歴判定にも利用することができる。また、前記設定回転数ごとにランプを設けた場合には、これを自動車運転中のシフトインジケータとして利用することができる。
【００２０】
【発明の効果】
以上のように、本発明によれば、エンジンの回転数を測定する回転数測定手段と、該回転数測定手段で測定された回転数を設定回転数域ごとに積算する回転数積算手段とを有し、表示手段に該回転数積算手段で積算された回転数の積算値を前記設定回転域ごとに表示させるようにしたので、エンジンがいずれの設定回転数域で多く稼働していたかなどを判定でき、これをエンジンのメンテナンスやレーシング用走行データとして役立てることができる。
【００２１】
また、前記回転数積算手段にエンジンの全回転数域における回転数を積算させて、その積算値を前記表示手段に表示させるようにしたので、全走行距離または設定区間走行距離に対するエンジンの稼働状態を試験および判定することができる。
【００２２】
また、前記回転数積算手段に、積算開始から積算終了までを指定した時間におけるエンジン１の回転数を積算させ、その積算値を前記表示手段に表示させるようにしたので、設定時間内でのエンジンの稼働状態を簡単に試験および判定することができる。
【００２３】
さらに、前記設定回転数域ごとに分けてエンジンの積算回転数を別々に表示するランプを設けたので、設定回転数域ごとのエンジンの回転数を誤りなく読み取ることができるという利点が得られる。
【図面の簡単な説明】
【図１】本発明の実施の一形態によるエンジン回転数積算計を示すブロック図である。
【図２】従来のエンジン回転数積算計を示すブロック図である。
【符号の説明】
１　エンジン
２　回転数測定手段
５　回転数積算手段
８　表示手段
【図１】
2004101396.tif 000003
【図２】
2004101396.tif 000004